(57)【特許請求の範囲】
【請求項１】
上面に机の棚板の天面に取り付けるための取付部が設けられ、内部に点灯回路基板が備えられている中央本体部と、
前記中央本体部に固定されており、水平に横方向に長手をしていて、左右両側にボス部を貫通させる孔が設けられている連結金具と、
一端に照明ヘッドと一体に形成されたボス部を有する２つの照明ヘッドとを有し、
前記２つの照明ヘッドの各ボス部は、それぞれ、前記連結金具の左右両側の孔に貫通され、前記２つの照明ヘッドは前記中央本体部から左右両側へ延び出すように取り付けられていて、前記中央本体部に対して水平面内で、かつ一定角度範囲内で回動自在であり、
前記２つの照明ヘッドが前記中央本体部を中心に左右へ直線状に延びた状態と、前記中央本体部との連結部を中心に前方へ折れ曲がった状態とに変位可能であることを特徴とする机の棚板用の照明ヘッド折り畳み型の照明器具。
【請求項２】
前記照明ヘッドが中央本体部に対して回動する角度範囲を規制するためのストッパが、前記照明ヘッド及び中央本体部に形成されていることを特徴とする請求項１記載の照明器具。
【発明の詳細な説明】
【０００１】
【発明の属する技術分野】
本発明は、机の棚板などに好適に取り付けられる、照明ヘッド折り畳み型の照明器具に関するものである。
【０００２】
【従来の技術】
机の棚板などに取り付けられる照明器具には、蛍光灯などの光源が装着された照明ヘッドが折りたたみ自在になっているものがある。照明ヘッドを折りたんだ状態では、照明器具がコンパクトにまとまり、照明ヘッドを拡開した状態では、広い範囲を照明することができる。また反射光が目に入ることを抑えることができる。
【０００３】
図８は、このような照明ヘッド折りたたみ型の、従来の照明器具１００を示す斜視図である。支柱１０１の上部に、剛性のロッド１０２が左右に伸びた状態で固定されている。ロッド１０２の各先端部に、照明ヘッド１０３ａ，ｂが回動自在に取り付けられている。前記支柱１０１は、机の天板に固定される。
この照明ヘッド１０３ａ，ｂを、回動軸１０４を中心にして、手で回すことにより、照明ヘッドを折りたたんだり、拡開したりすることができる（図８では、照明ヘッドを９０°まで広げることができる）。
【０００４】
【発明が解決しようとする課題】
ところが、前記構造の照明器具１００では、照明ヘッド１０３ａ，ｂがロッド１０２の各先端部に取り付けられているため、ロッド１０２に過大な荷重がかかるので、ロッド１０２を金属製にし、しかも太くしなければならず、照明器具１００の全体が重くなり、また照明器具１００の構造も複雑になるという問題がある。
【０００５】
また、前記構造の照明器具１００では、照明ヘッド１０３ａ，ｂを９０°まで拡開しないと中央部の照度が十分に得られないという問題がある。
そこで、本発明は、中央部の照度が十分に得られ、かつロッドが不要で、しかも全体として軽くシンプルな構造の照明器具を実現することを目的とする。
【０００６】
【課題を解決するための手段及び発明の効果】
本発明は、机の棚板に取り付けられる照明ヘッド折り畳み型の照明器具であって、上面に机の棚板の天面に取り付けるための取付部が設けられ、内部に点灯回路基板が備えられている中央本体部と、前記中央本体部に固定されており、水平に横方向に長手をしていて、左右両側にボス部を貫通させる孔が設けられている連結金具と、一端に照明ヘッドと一体に形成されたボス部を有する２つの照明ヘッドとを有し、前記２つの照明ヘッドの各ボス部は、それぞれ、前記連結金具の左右両側の孔に貫通され、前記２つの照明ヘッドは前記中央本体部から左右両側へ延び出すように取り付けられていて、前記中央本体部に対して水平面内で、かつ一定角度範囲内で回動自在であり、前記２つの照明ヘッドが前記中央本体部を中心に左右へ直線状に延びた状態と、前記中央本体部との連結部を中心に前方へ折れ曲がった状態とに変位可能であることを特徴とする机の棚板用の照明ヘッド折り畳み型の照明器具である。
【０００７】
前記の構成によれば、全体として軽くシンプルでコンパクトな構造とすることができる。
【０００９】
前記照明ヘッドが中央本体部に対して回動する角度範囲を規制するためのストッパが、前記照明ヘッド及び中央本体部に形成されていてもよい（請求項２）。照明ヘッドの角度範囲を規制するストッパを、照明ヘッド及び中央本体部に形成することにより、全体を単純な構造とすることができる。
【００１１】
【発明の実施の形態】
以下、本発明の実施の形態を、添付図面を参照しながら詳細に説明する。
図１は、本発明の照明器具１を斜め前から見た斜視図である。
照明器具１は、点灯回路基板を内蔵した中央本体部２と、中央本体部２から左右に回動自在に取り付けられた照明ヘッド３ａ，３ｂとを有する。中央本体部２の上面には、照明器具１を机の棚板の天面に取り付けるための取付部５が設けられている。図１において、破線は、照明ヘッド３ａ，３ｂを手前いっぱいに折り曲げた状態を示す。
【００１２】
図２は、照明器具１の底面を上にした状態で、照明器具１を斜め前から見た斜視図である。照明ヘッド３ａ，３ｂの中には、照明光源である蛍光灯４ａ，４ｂが装着されている。また、中央本体部２の底面は、保護カバー２１で覆われている。図２において、破線は、照明ヘッド３ａ，３ｂを手前いっぱいに折り曲げた状態を示す。
図３は、照明器具１の分解斜視図である。図３では、中央本体部２と片側の照明ヘッド３ｂとの連結構造を中心に描いているが、図示していない中央本体部２と照明ヘッド３ａとの連結構造も同じ構造になっている。図示したもののうち、照明ヘッド３ｂ、中央本体部２、保護カバー２１、ルーバ３３はアクリルなどの樹脂製である。中央本体部２に固定される連結金具２２、照明ヘッド３ｂに固定される取付け板３２は鉄などの金属製である。
【００１３】
照明ヘッド３ｂの回転中心には、円柱状のボス部３１が形成されている。このボス部３１と照明ヘッド３ｂとは樹脂で一体に形成されている。ボス部３１の底面にはねじ孔が形成されている。
連結金具２２は、「連結部材」であり、中央本体部２に形成された複数のボス部を介して中央本体部２にねじ止め固定される。この連結金具２２には、前記ボス部３１を貫通させる孔２３が設けられている。
【００１４】
連結金具２２を中央本体部２に固定し、前記ボス部３１を、この孔２３に貫通させ、樹脂ワッシャ３４、金属ワッシャ３５、円筒形のスペーサ３６（樹脂製）、金属ワッシャ３７を順番に通して、ねじ３８で締め付けることにより、中央本体部２と照明ヘッド３ｂとの連結が実現される。この連結構造を有する部分を「可動連結部」という。
この可動連結部３０の断面図を図４に示す。照明ヘッド３ｂを手で回動させると、中央本体部２に固定されている連結金具２２のみが静止状態のままで、他のボス部３１、樹脂ワッシャ３４、金属ワッシャ３５、スペーサ３６、金属ワッシャ３７、ねじ３８は、照明ヘッド３ｂと一体に回動する。
【００１５】
ねじ３８の締め付けトルクが強すぎると照明ヘッド３ｂを回動させるのに強い力が要るようになり、ねじ３８の締め付けトルクが弱すぎると照明ヘッド３ｂが簡単に回動して不安定になる。したがって、ねじ３８の締め付けトルクを、照明ヘッド３ｂの回動力が適切になるように設定しなければならない。
図５は、照明器具１の底面図であり、保護カバー２１、取付け板３２、蛍光灯４ａ，４ｂ、ルーバ３３を取り外した状態で示している。中央本体部２に取付けられた点灯回路基板２４が図示されている。
【００１６】
照明ヘッド３ｂの、可動連結部３０に近い端部には、例えば椀状の案内部４１，４３が形成されている。案内部４１，４３は、照明ヘッド３ｂと一体に成形されたものである。
案内部４１の基端には、ストッパ４２が形成されている。このストッパ４２が、中央本体部２の端面に形成されたストッパ２５に当たることにより、照明ヘッド３ｂの一方向の回動角度が規制される。図５で、照明ヘッド３ｂの一方向の回動角度の余裕をθ1で示している。
【００１７】
また、案内部４３の基端には、ストッパ４４が形成されている。このストッパ４４が、中央本体部２の端面に形成されたストッパ２６に当たることにより、照明ヘッド３ｂの他方向の回動角度が規制される。照明ヘッド３ｂの他方向の回動角度の余裕をθ2で示している。
θ1＝０，θ2＝最大値のとき照明ヘッド３ｂは横方向にまっすぐに伸びた状態になり、θ1＝最大値，θ2＝０のとき、照明ヘッド３ｂは正面方向に最大角度曲げられた状態になる。
【００１８】
照明器具１は、以上のとおり構成されでいるので、ユーザは、照明ヘッド３ａ，３ｂを一定の回動角度の範囲内で、任意の角度に折り曲げることができる。
図６は、照明器具１を机の棚板の天井板６に取付けた状態を示す斜視図である。図６では、照明ヘッド３ａ，３ｂは、折畳み式天板７を水平に開いた状態で、手前に折り曲げられている。したがって、折畳み式天板７の手前の部分を十分な照度で照らすことができる。また、照明ヘッド３ａ，３ｂをまっすぐに伸ばして天井板６の下の空間に収納すれば、折畳み式天板７を棚板に完全に折りたたむことができる。
【００１９】
したがって、本発明の照明器具１を、折畳み式天板７を有する机に使用すれば、最適である。また、折畳み式でない机にも使用することができるのはもちろんである。
図７は、本発明の照明器具１に腕８を取付け、腕８を支柱９上部に取付けた状態を示す斜視図である。支柱９は高さ調節可能であり、腕８は支柱９に対して回動可能になっており、照明器具１は腕８に対して回動可能になっている。これにより、照明器具１を机の上で上下動させることができ、机の天板１０の照度を調節することができる。また、図６に示したのと同様、照明ヘッド３ａ，３ｂを折り曲げ、伸ばすこともできる。
【００２０】
以上で、本発明の実施の形態を説明したが、本発明の実施は、前記の形態に限定されるものではない。例えば可動連結部３０の構造は、図４に示したものに限られず、ボス部３１に貫通孔を形成し、照明ヘッド３ｂの上部からボルトを通して、ワッシャ３７の下部にナットを設けてねじ止めする構造でもよい。その他、本発明の範囲内で種々の変更を施すことが可能である。
【図面の簡単な説明】
【図１】本発明の照明器具１を斜め前から見た斜視図である。
【図２】照明器具１の底面を上にした状態で、照明器具１を斜め前から見た斜視図である。
【図３】照明器具１の分解斜視図である。
【図４】可動連結部３０の断面構造を示す図である。
【図５】照明器具１の、保護カバー２１、取付け板３２、蛍光灯４ａ，４ｂ、ルーバ３３を取り外した状態の底面図である。
【図６】照明器具１を机の棚板の天井板６に取付けた状態を示す斜視図である。
【図７】本発明の照明器具１に腕８を取付け、腕８を支柱９上部に取付けた状態を示す斜視図である。
【図８】従来の照明ヘッド折りたたみ型の、従来の照明器具１００を示す斜視図である。
【符号の説明】
１  照明器具
２  中央本体部
３ａ，３ｂ  照明ヘッド
４ａ，４ｂ  蛍光灯
５  取付部
６  棚板の天井板
７  机の天板
８  腕
９  支柱
１０  机の天板
２２  連結金具
２３  連結金具の孔
２４  点灯回路基板
２５  ストッパ
２６  ストッパ
３０  可動連結部
３１  ボス部
３４  樹脂ワッシャ３４
３５  金属ワッシャ
３６  スペーサ
３７  金属ワッシャ
４１  椀状の案内部
４２  ストッパ
４３  椀状の案内部
４４  ストッパ
【図１】
0004226809.tif 000002
【図２】
0004226809.tif 000003
【図３】
0004226809.tif 000004
【図４】
0004226809.tif 000005
【図５】
0004226809.tif 000006
【図６】
0004226809.tif 000007
【図７】
0004226809.tif 000008
【図８】
0004226809.tif 000009